【手続補正書】
【提出日】平成25年12月2日(2013.12.2)
【手続補正１】
【補正対象書類名】特許請求の範囲
【補正対象項目名】全文
【補正方法】変更
【補正の内容】
【特許請求の範囲】
【請求項１】
複数の第１単位セルを有する第１読み出し集積回路（ＲＯＩＣ）；
前記第１ＲＯＩＣから第１方向外側に備えられ、複数の第２単位セルを有する第２ＲＯＩＣであって、複数の導電性ビアが前記第２ＲＯＩＣを通って且つ少なくとも前記第１ＲＯＩＣの中に備えられている、第２ＲＯＩＣ；並びに
前記第２ＲＯＩＣから第１方向外側に備えられ、高ダイナミックレンジ赤外光を検出するデュアルバンド検出器アレイであって、前記検出器アレイは複数の検出器画素を有し、各々の検出器画素は、光を検出することに応答して電流を発生させて、前記複数の導電性ビアの１つのビアに前記電流を送り、前記ビアは前記複数の第２単位セルのうちの第２の単位セルに及び前記複数の第１単位セルのうちの第１の単位セルに前記電流を送る、デュアルバンド検出器アレイ；
を有する装置。
【請求項２】
前記第１ＲＯＩＣ又は前記第２ＲＯＩＣの一は、より高いフラックスの検出された光を捕捉するように前記電流を処理する高フラックスＲＯＩＣとして動作し；
前記第１ＲＯＩＣ又は前記第２ＲＯＩＣの他は、より低いフラックスの検出された光を捕捉するように前記電流を処理する低フラックスＲＯＩＣとして動作する；
請求項１に記載の装置。
【請求項３】
前記第１ＲＯＩＣ又は前記第２ＲＯＩＣの一は、より低い電力を用いて、より高いフラックスの検出された光を捕捉するように前記電流を処理する高フラックス低電力ＲＯＩＣとして動作し；
前記第１ＲＯＩＣ又は前記第２ＲＯＩＣの他は、より高い電力を用いて、より低いフラックスの検出された光を捕捉するように前記電流を処理する低フラックス高電力ＲＯＩＣとして動作する；
請求項１に記載の装置。
【請求項４】
前記第１ＲＯＩＣは、第１波長帯域の検出された光に関連する電流を処理し；
前記第２ＲＯＩＣは、前記第１波長帯域と異なる第２波長帯域の検出された光に関連する電流を処理する；
請求項１に記載の装置。
【請求項５】
前記検出器アレイに結合され、第１時間期間の間、前記第１ＲＯＩＣに前記電流を流し、前記第１時間期間の後の第２時間期間の間、前記第２ＲＯＩＣに前記電流を流すスイッチ；
を更に有する、請求項１に記載の装置。
【請求項６】
前記検出器アレイに結合され、第１時間期間の間、高フラックスＲＯＩＣとして動作する前記第１ＲＯＩＣ又は前記第２ＲＯＩＣの一のＲＯＩＣに前記電流を流し、第２時間期間の間、低フラックスＲＯＩＣとして動作する前記第１ＲＯＩＣ又は前記第２ＲＯＩＣの他のＲＯＩＣに前記電流を流すスイッチ；
を更に有し、前記第２時間期間は前記第１時間期間より長い、請求項１に記載の装置。
【請求項７】
前記第１ＲＯＩＣに結合され、前記第１ＲＯＩＣからの出力を増幅する１つ又はそれ以上の第１列アンプ；及び
前記第２ＲＯＩＣに結合され、前記第２ＲＯＩＣからの出力を増幅する１つ又はそれ以上の第２列アンプ；
を更に有する、請求項１に記載の装置。
【請求項８】
前記第１ＲＯＩＣに結合され、前記第１ＲＯＩＣからの出力をバッファリングする１つ又はそれ以上の第１バッファ；及び
前記第２ＲＯＩＣに結合され、前記第２ＲＯＩＣからの出力をバッファリングする１つ又はそれ以上の第２バッファ；
を更に有する、請求項１に記載の装置。
【請求項９】
前記第１ＲＯＩＣにより生成されたデータの１つ又はそれ以上の第１フレームを出力し；及び
前記第２ＲＯＩＣにより生成されたデータの１つ又はそれ以上の第２フレームを出力する；
請求項１に記載の装置。
【請求項１０】
デュアルバンド検出器アレイの検出器画素により、高ダイナミックレンジ赤外光を検出することに応答して電流を発生させるステップであって、前記検出器アレイは複数の検出器画素を有し、前記検出器アレイは第２読み出し集積回路（ＲＯＩＣ）から第１方向外側に備えられている、ステップ；
前記検出器画素により、前記第２ＲＯＩＣを通って且つ少なくとも第１ＲＯＩＣの中に備えられている複数の導電性ビアの１つのビアに前記電流を流すステップ；及び
前記ビアにより、前記第１ＲＯＩＣの第１の単位セルに及び前記第２ＲＯＩＣの第２の単位セルに前記電流を送るステップであって、前記第１ＲＯＩＣは複数の第１単位セルを有し、前記第２ＲＯＩＣは、前記第１ＲＯＩＣから第１方向外側に備えられ且つ複数の第２単位セルを有する、ステップ；
を有する方法。
【請求項１１】
より高いフラックスの検出された光を捕捉するように前記電流を処理するステップであって、該処理するステップは、高フラックスＲＯＩＣとして動作する前記第１ＲＯＩＣ又は前記第２ＲＯＩＣの一のＲＯＩＣにより実行される、ステップ；
より低いフラックスの検出された光を捕捉するように前記電流を処理するステップであって、該処理するステップは、低フラックスＲＯＩＣとして動作する前記第１ＲＯＩＣ又は前記第２ＲＯＩＣの他のＲＯＩＣにより実行される、ステップ；
を更に有する、請求項１０に記載の方法。
【請求項１２】
より低い電力を用いて、より高いフラックスの検出された光を捕捉するように前記電流を処理するステップであって、該処理するステップは、高フラックス低電力ＲＯＩＣとして動作する前記第１ＲＯＩＣ又は前記第２ＲＯＩＣの一のＲＯＩＣにより実行される、ステップ；
より高い電力を用いて、より低いフラックスの検出された光を捕捉するように前記電流を処理するステップであって、該処理するステップは、低フラックス高電力ＲＯＩＣとして動作する前記第１ＲＯＩＣ又は前記第２ＲＯＩＣの他のＲＯＩＣにより実行される、ステップ；
を更に有する、請求項１０に記載の方法。
【請求項１３】
前記第１ＲＯＩＣにより、第１波長帯域の検出された光に関連する電流を処理するステップ；
前記第２ＲＯＩＣにより、前記第１波長帯域と異なる第２波長帯域の検出された光に関連する電流を処理するステップ；
を更に有する、請求項１０に記載の方法。
【請求項１４】
前記検出器アレイに結合されたスイッチにより、第１時間期間の間、前記第１ＲＯＩＣに前記電流を流すステップ；
前記スイッチにより、第１時間期間の後の第２時間期間の間、前記第２ＲＯＩＣに前記電流を流すステップ；
を更に有する、請求項１０に記載の方法。
【請求項１５】
第１時間期間の間、前記検出器アレイに結合されたスイッチにより、高フラックスＲＯＩＣとして動作する前記第１ＲＯＩＣ又は前記第２ＲＯＩＣの一のＲＯＩＣに前記電流を流すステップ；及び
第２時間期間の間、前記スイッチにより、低フラックスＲＯＩＣとして動作する前記第１ＲＯＩＣ又は前記第２ＲＯＩＣの他のＲＯＩＣに前記電流を流すステップであって、前記第２時間期間は前記第１時間期間より長い、ステップ；
を更に有する、請求項１０に記載の方法。
【請求項１６】
前記第１ＲＯＩＣに結合された１つ又はそれ以上の第１列アンプにより、前記第１ＲＯＩＣからの出力を増幅するステップ；及び
前記第２ＲＯＩＣに結合された１つ又はそれ以上の第２列アンプにより、前記第２ＲＯＩＣからの出力を増幅するステップ；
を更に有する、請求項１０に記載の方法。
【請求項１７】
前記第１ＲＯＩＣに結合された１つ又はそれ以上の第１バッファにより、前記第１ＲＯＩＣからの出力をバッファリングするステップ；及び
前記第２ＲＯＩＣに結合された１つ又はそれ以上の第２バッファにより、前記第２ＲＯＩＣからの出力をバッファリングするステップ；
を更に有する、請求項１０に記載の方法。
【請求項１８】
前記第１ＲＯＩＣにより生成されたデータの１つ又はそれ以上の第１フレームを出力するステップ；及び
前記第２ＲＯＩＣにより生成されたデータの１つ又はそれ以上の第２フレームを出力するステップ；
を更に有する、請求項１０に記載の方法。
【請求項１９】
複数の第１単位セルを有する第１読み出し集積回路（ＲＯＩＣ）であって、前記第１ＲＯＩＣは、より高いフラックスの検出された光を捕捉するように電流を処理する高フラックスＲＯＩＣとして動作する、第１ＲＯＩＣ；
前記第１ＲＯＩＣから第１方向外側に備えられ、複数の第２単位セルを有する第２ＲＯＩＣであって、前記第２ＲＯＩＣは、より低いフラックスの検出された光を捕捉するように電流を処理する低フラックスＲＯＩＣとして動作し、複数の導電性ビアが前記第２ＲＯＩＣを通って且つ少なくとも前記第１ＲＯＩＣの中に備えられている、第２ＲＯＩＣ；並びに
前記第２ＲＯＩＣから第１方向外側に備えられているデュアルバンド検出器アレイであって、前記検出器アレイは、高ダイナミックレンジ赤外光を検出し且つ複数の検出器画素を有し、各々の検出器画素は、光を検出することに応答して電流を発生させて、前記複数の導電性ビアの１つのビアに前記電流を送り、前記ビアは、前記第１ＲＯＩＣの第１単位セル及び前記第２ＲＯＩＣの第２単位セルに前記電流を送る、デュアルバンド検出器アレイ；並びに
前記検出器アレイに結合され、第１時間期間の間、高フラックスＲＯＩＣとして動作する前記第１ＲＯＩＣに前記電流を流し、第２時間期間の間、低フラックスＲＯＩＣとして動作する前記第２ＲＯＩＣに前記電流を流すスイッチであって、前記第２時間期間は前記第１時間期間より長い、スイッチ；
を有する装置。
【請求項２０】
前記第１ＲＯＩＣは、第１波長帯域の検出された光に関連する電流を処理し；
前記第２ＲＯＩＣは、前記第１波長帯域と異なる第２波長帯域の検出された光に関連する電流を処理する；
請求項１９に記載の装置。